(57)【要約】【課題】  車両部品の平均的な交換時期をユーザに通知することにより、ユーザにとってより信頼性の高い部品交換の通知を行うことが可能な車両整備情報通信システム及び整備情報サーバを提供する。【解決手段】  車両に搭載されたナビゲーション装置１は、車両部品（例えばエンジンオイルやオイルフィルタ等）が交換された場合に、前回交換時からの期間や交換時の日付等の情報を交換記録情報として、ネットワークを介して整備情報サーバ１００へと送信し、交換記録データベース９９ｃに交換情報を登録する。整備情報サーバ１００は、多数の車両についての交換記録情報を交換記録データベース９９ｃに有しており、そこから車両部品の適切な交換時期を集計し、その時期が到来したらナビゲーション装置１に対して車両部品の交換を促す交換勧告情報を送信する。【選択図】        図１
2006215749.tif 000002
【特許請求の範囲】
【請求項１】
車両の整備情報を管理する整備情報サーバと、該整備情報サーバと通信可能な車載装置とを含んで構築される車両整備情報通信システムであって、
前記車載装置は、車両部品の交換情報とその交換時における車両情報とを含む交換記録情報が入力される入力手段と、該交換記録情報を前記整備情報サーバに送信する送信手段とを備え、
前記整備情報サーバは、前記車載装置から前記交換記録情報を受信する受信手段と、前記交換記録情報を記憶する交換記録記憶手段と、該交換記録記憶手段に記憶されている前記交換記録情報に基づき前記車両部品の推奨次回交換時を算出する交換時期算出手段と、前記推奨次回交換時の到来により前記車載装置に前記車両部品の交換勧告情報を送信する送信手段とを備え、
前記車載装置は更に、前記整備情報サーバから前記交換勧告情報を受信する受信手段と、前記交換勧告情報を出力する出力手段とを備えることを特徴とする車両整備情報通信システム。
【請求項２】
前記車載装置は、前記交換記録情報の入力時の日付を取得する日付取得手段を備え、前記整備情報サーバに送信される前記交換記録情報には、前記日付取得手段により取得した日付が含まれる請求項１に記載の車両整備情報通信システム。
【請求項３】
車両の整備情報を管理する整備情報サーバと、該整備情報サーバと通信可能な車載装置と、該整備情報サーバと通信可能な端末装置とを含んで構築される車両整備情報通信システムであって、
前記端末装置は、車両部品の交換情報とその交換時における車両情報とを含む交換記録情報が入力される入力手段と、該交換記録情報を前記整備情報サーバに送信する送信手段とを備え、
前記整備情報サーバは、前記車載装置から前記交換記録情報を受信する受信手段と、前記交換記録情報を記憶する交換記録記憶手段と、該交換記録記憶手段に記憶されている前記交換記録情報に基づき前記車両部品の推奨次回交換時を算出する交換時期算出手段と、前記推奨次回交換時の到来により前記車載装置に前記車両部品の交換勧告情報を送信する送信手段とを備え、
前記車載装置は、前記整備情報サーバから前記交換勧告情報を受信する受信手段と、前記交換勧告情報を出力する出力手段とを備えることを特徴とする車両整備情報通信システム。
【請求項４】
前記交換時期算出手段は、前記交換記録記憶手段に記憶されている複数の車両についての前記交換記録情報の統計を採り、その平均に基づいて前記推奨次回交換時を算出する請求項１ないし３のいずれか１項に記載の車両整備情報通信システム。
【請求項５】
前記整備情報サーバに送信される前記交換記録情報には、前記車両部品の前回交換時から今回交換時までの交換期間が含まれ、
前記交換時期算出手段は、前記交換記録記憶手段に記憶されている前記交換期間の統計を採り、その平均に基づいた期間を今回交換時に加算することにより前記推奨次回交換時とする請求項１ないし４のいずれか１項に記載の車両整備情報通信システム。
【請求項６】
前記交換記録記憶手段に前記車両部品の前回交換時が既に記憶されている場合に、当該前回交換時から前記交換記録情報に含まれる今回交換時までの期間を交換期間として前記交換記録記憶手段に記憶する請求項１ないし５のいずれか１項に記載の車両整備情報通信システム。
【請求項７】
前記整備情報サーバは、前記交換記録記憶手段が記憶している車両部品のリストである部品リストを有する部品リスト記憶手段を備え、
前記入力手段では、前記整備情報サーバから受信した前記部品リストに基づいて、交換した前記車両部品の選択及び前記交換記録情報の入力が可能である請求項１ないし６のいずれか１項に記載の車両整備情報通信システム。
【請求項８】
前記整備情報サーバに送信される前記交換記録情報には、交換した前記車両部品の種類が含まれ、
前記交換時期算出手段は、前記交換記録記憶手段に記憶されている前記交換記録情報について前記車両部品の種類ごとの統計を採り、その平均に基づいて前記推奨次回交換時を算出する請求項１ないし７のいずれか１項に記載の車両整備情報通信システム。
【請求項９】
前記整備情報サーバに送信される前記交換記録情報には、前記車両の種類が含まれ、
前記交換時期算出手段は、前記交換記録記憶手段に記憶されている前記交換記録情報について前記車両の種類ごとの統計を採り、その平均に基づいて前記推奨次回交換時を算出する請求項１ないし８のいずれか１項に記載の車両整備情報通信システム。
【請求項１０】
車両の整備情報を管理する整備情報サーバであって、車両部品の交換情報とその交換時における車両情報とを含む交換記録情報を車載装置又は端末装置から受信する受信手段と、前記交換記録情報を記憶する交換記録記憶手段と、該交換記録記憶手段に記憶されている前記交換記録情報に基づき前記車両部品の推奨次回交換時を算出する交換時期算出手段と、前記推奨次回交換時の到来により前記車載装置に前記車両部品の交換勧告情報を送信する送信手段とを備えることを特徴とする整備情報サーバ。
【発明の詳細な説明】
【技術分野】
【０００１】
本発明は、車両部品の交換時期を整備情報サーバから車載装置に通知する車両整備情報通信システム、及びそれを構成する整備情報サーバに関する。
【背景技術】
【０００２】
従来から、車両のメンテナンス情報を表示するための種々の情報装置が提案されている。例えば、特許文献１及び２に見られるような情報表示装置があるが、これらの情報表示装置は、自車のメンテナンス履歴を基にあらかじめ設定されたメンテナンス時期になるとユーザにメンテナンスを促すものである。
【０００３】
【特許文献１】特開平９−１１５０９７号公報
【特許文献２】特開昭６３−２４５７９８号公報
【特許文献３】特開２００２−３５２３９０号公報
【発明の開示】
【発明が解決しようとする課題】
【０００４】
しかしながら、特許文献１及び２に見られる情報装置は、あらかじめ設定されたメンテナンス時期を自動的に表示するだけであるが、かかるメンテナンス時期は一般的に安全側に考えるために短めの期間が設定されていることが多く、本当に交換が必要であるか否かユーザに疑問が残ることがある。また、使用している部品や車両の違いを考慮することはない。
【０００５】
本発明は、上記問題を鑑みて為されたものであり、車両部品の平均的な交換時期をユーザに通知することにより、ユーザにとってより信頼性の高い部品交換の通知を行うことが可能な車両整備情報通信システム及び整備情報サーバを提供することを目的とする。
【課題を解決するための手段及び発明の効果】
【０００６】
上記課題を解決するため、請求項１の車両整備情報通信システムでは、
車両の整備情報を管理する整備情報サーバと、該整備情報サーバと通信可能な車載装置とを含んで構築される車両整備情報通信システムであって、
車載装置は、車両部品の交換情報とその交換時における車両情報とを含む交換記録情報が入力される入力手段と、該交換記録情報を整備情報サーバに送信する送信手段とを備え、
整備情報サーバは、車載装置から交換記録情報を受信する受信手段と、交換記録情報を記憶する交換記録記憶手段と、該交換記録記憶手段に記憶されている交換記録情報に基づき車両部品の推奨次回交換時を算出する交換時期算出手段と、推奨次回交換時の到来により車載装置に車両部品の交換勧告情報を送信する送信手段とを備え、
車載装置は更に、整備情報サーバから交換勧告情報を受信する受信手段と、交換勧告情報を出力する出力手段とを備えることを特徴とする。
【０００７】
また、請求項３の車両整備情報通信システムでは、上記交換記録情報の入力及び送信を端末装置により行う。すなわち、
車両の整備情報を管理する整備情報サーバと、該整備情報サーバと通信可能な車載装置と、該整備情報サーバと通信可能な端末装置とを含んで構築される車両整備情報通信システムであって、
端末装置は、車両部品の交換情報とその交換時における車両情報とを含む交換記録情報が入力される入力手段と、該交換記録情報を整備情報サーバに送信する送信手段とを備え、
整備情報サーバは、車載装置から交換記録情報を受信する受信手段と、交換記録情報を記憶する交換記録記憶手段と、該交換記録記憶手段に記憶されている交換記録情報に基づき車両部品の推奨次回交換時を算出する交換時期算出手段と、推奨次回交換時の到来により車載装置に車両部品の交換勧告情報を送信する送信手段とを備え、
車載装置は、整備情報サーバから交換勧告情報を受信する受信手段と、交換勧告情報を出力する出力手段とを備えることを特徴とする。
【０００８】
なお、上記の車両整備情報通信システムを主に構成する請求項１０の整備情報サーバは、車両の整備情報を管理する整備情報サーバであって、車両部品の交換情報とその交換時における車両情報とを含む交換記録情報を車載装置又は端末装置から受信する受信手段と、交換記録情報を記憶する交換記録記憶手段と、該交換記録記憶手段に記憶されている交換記録情報に基づき車両部品の推奨次回交換時を算出する交換時期算出手段と、推奨次回交換時の到来により車載装置に車両部品の交換勧告情報を送信する送信手段とを備えることを特徴とする。
【０００９】
上記本発明によると、整備情報サーバが収集した交換記録情報に基づいて車両部品の推奨次回交換時を算出することから、当該車両部品の好ましい交換時期を得ることができ、これにより車載装置のユーザにとってより信頼性の高い車両部品の交換勧告情報を提供することが可能となる。
【００１０】
請求項４の車両整備情報通信システムでは、交換時期算出手段は、交換記録記憶手段に記憶されている複数の車両についての交換記録情報の統計を採り、その平均に基づいて推奨次回交換時を算出するように構成できる。整備情報サーバが収集した複数の車両についての交換記録情報の統計を採ることで、車載装置のユーザは、他の車両との比較の中でより信頼性の高い車両部品の交換勧告情報を得ることができる。
【００１１】
請求項５の車両整備情報通信システムでは、整備情報サーバに送信される交換記録情報には、車両部品の前回交換時から今回交換時までの交換期間が含まれ、交換時期算出手段は、交換記録記憶手段に記憶されている交換期間の統計を採り、その平均に基づいた期間を今回交換時に加算することにより推奨次回交換時とするように構成できる。このように推奨次回交換時を得ることによって、対象となる車両部品についての平均的な交換時期をユーザに提供することができる。
【００１２】
請求項６の車両整備情報通信システムでは、交換記録記憶手段に車両部品の前回交換時が既に記憶されている場合に、当該前回交換時から交換記録情報に含まれる今回交換時までの期間を交換期間として交換記録記憶手段に記憶するように構成できる。交換記録記憶手段に既に記憶されている前回交換時から交換期間を得ることで、より正確な交換期間を得ることができる。
【００１３】
請求項７の車両整備情報通信システムでは、整備情報サーバは、交換記録記憶手段が記憶している車両部品のリストである部品リストを有する部品リスト記憶手段を備え、入力手段では、整備情報サーバから受信した部品リストに基づいて、交換した車両部品の選択及び交換記録情報の入力が可能である。かかる部品リストによって、ユーザにとっては、交換記録情報の入力がより直感的かつ簡易的となる。
【００１４】
請求項８の車両整備情報通信システムでは、整備情報サーバに送信される交換記録情報には、交換した車両部品の種類が含まれ、交換時期算出手段は、交換記録記憶手段に記憶されている交換記録情報について車両部品の種類ごとの統計を採り、その平均に基づいて推奨次回交換時を算出するよう構成できる。車両部品の種類ごとの統計を採ることにより、種類ごとの特性に応じた情報を得ることができ、車載装置のユーザにとってより有用で信頼性の高い車両部品の交換勧告情報を提供することが可能となる。
【００１５】
請求項９の車両整備情報通信システムでは、整備情報サーバに送信される交換記録情報には、車両の種類が含まれ、交換時期算出手段は、交換記録記憶手段に記憶されている交換記録情報について車両の種類ごとの統計を採り、その平均に基づいて推奨次回交換時を算出するよう構成できる。車両の種類ごとの統計を採ることにより、種類ごとの特性に応じた情報を得ることができ、車載装置のユーザにとってより有用で信頼性の高い車両部品の交換勧告情報を提供することが可能となる。
【発明を実施するための最良の形態】
【００１６】
＜第一実施形態＞
（１）車両整備情報通信システム
以下、本発明の車両整備情報通信システムの第一実施形態を、図面を参照しながら説明する。図１は、整備情報サーバ１００と、それと通信可能に構成されたカーナビゲーション装置１（本発明の車載装置に相当：以下、ナビゲーション装置１という）とを含んで構築された車両整備情報通信システムの全体の構成を概略的に示すものである。車両に搭載されたナビゲーション装置１は、車両部品（例えばエンジンオイルやオイルフィルタ等）が交換された場合に、前回交換時からの期間や交換時の日付等の情報を交換記録情報として、ネットワークを介して整備情報サーバ１００へと送信し、交換記録データベース９９ｃに交換情報を登録する。整備情報サーバ１００は、多数の車両についての交換記録情報を交換記録データベース９９ｃに有しており、そこから車両部品の適切な交換時期を集計し、その時期が到来したらナビゲーション装置１に対して車両部品の交換を促す交換勧告情報を送信する。以下、システムを構成するナビゲーション装置１及び整備情報サーバ１００の詳細をそれぞれ説明する。
【００１７】
（２）ナビゲーション装置
図２は、ナビゲーション装置１の全体構成を示すブロック図である。ナビゲーション装置１は、位置検出器２，データ入力器３１，操作スイッチ群４１，リモコン端末４３，リモコンセンサ４２，表示装置５１，音声出力装置５２，外部メモリ３３及びこれらが接続された制御回路１０を備えている。
【００１８】
位置検出器２は、ＧＰＳ衛星から送信されたＧＰＳ電波を受信し、その受信したＧＰＳ電波に格納されているパラメータを演算して位置データを取得するＧＰＳ受信機２１、地磁気に基づいて方位を検出し、その検出した方位を表す方位データを取得する地磁気センサ２２、角速度を検出することに基づいて方位を算出し、その算出した方位を示す方位データを取得するジャイロスコープ２３、走行距離を検出し、その検出した距離を示す距離データを取得する距離センサ２４を備えて構成され、各センサが取得した各データを相互補完することによって、自車の現在位置を検出（特定）と正確な走行距離の計測を行う。
【００１９】
データ入力器３１は、例えばＣＤ−ＲＯＭ，ＤＶＤ−ＲＯＭ，ハードディスクドライブ（ＨＤＤ）或いはメモリカードなどの外部記録媒体３２から、地図データ，マップマッチング用データ，目印データ或いはＨＴＭＬデータなどの各種データを入力する。
【００２０】
操作スイッチ群４１は、例えば、表示装置５１と一体になったタッチスイッチ若しくはメカニカルなスイッチ等が用いられる。タッチスイッチは、表示装置５１の画面上に縦横に微細に配置された赤外線センサより構成されており、例えば指やタッチペンなどでその赤外線を遮断すると、その遮断した位置が次元座標値（Ｘ，Ｙ）として検出される。また、マウスやカーソル等のポインティングデバイスを用いてもよい。リモコン端末４３も、この操作スイッチ群４１と同等の機能を有して構成されている。これら操作スイッチ群４１及びリモコン端末４３により種々の指示を入力することが可能である。すなわち、これら操作スイッチ群４１及びリモコン端末４３が本発明における入力手段に相当する。
【００２１】
表示装置５１は、カラー液晶表示器により構成されており、その画面には位置検出器２から入力された車両現在位置マークと、データ入力器３１から入力された地図データと、更に地図上に表示する誘導経路等付加データとを重ね合わせて表示すると共に、本画面に経路案内の設定および経路誘導中の案内や画面の切り換え操作を行うためのメニューボタンが表示される。なお、表示装置５１が本発明における出力手段に相当する。また、音声出力装置５２は、アンプやスピーカから構成され、目的地までの経路案内の実行時には案内のための合成音声を出力する。
【００２２】
通信インターフェース６１は、携帯電話機６２との間のインターフェース機能を有しており、外部ネットワークとの接続を可能にしている。すなわち、通信インターフェース６１は、携帯電話機６２との連携により本発明における車載装置の送信手段及び受信手段として機能する。また、本発明における送信手段及び受信手段としては、携帯電話機６２に限らず、専用のデータ通信モジュール「ＤＣＭ」（Data Communication Module）等を用いることができる。
【００２３】
制御回路１０は、通常のコンピュータとして構成されており、周知のＣＰＵ１１，ＲＯＭ１２，ＲＡＭ１３，入出力インターフェース（Ｉ／Ｏ）１４及びこれらの構成を接続するバスライン１５が備えられている。ＣＰＵ１１は、ＲＯＭ１２及びＲＡＭ１３に記憶されたプログラム及びデータにより制御を行う。ＲＯＭ１２は、プログラム格納領域１２ａとデータ記憶領域１２ｂとを有している。プログラム格納領域１２ａにはナビゲーションプログラム（以下、ナビプログラムと称する）１２ｐが格納される。データ記憶領域１２ｂにはナビプログラム１２ｐの動作に必要なデータが格納されている。なお、これらのプログラム及びデータは、外部メモリ３３に記憶されていてもよい。また、ナビプログラム１２ｐは、ＲＡＭ１３上にてナビプログラム用ワークメモリ１３ｗを作業領域とする形で作動する。かかる構成により、ナビゲーション装置１は、ＣＰＵ１１によりナビプログラム１２ｐが起動されると、本発明に係る車載装置として機能する。
【００２４】
また、制御回路１０は、リアルタイムクロック（ＲＴＣ）１６を有しており、現在の日時の取得が可能となっている。本実施形態では、当該ＲＴＣ１６が、本発明の日付取得手段に相当する。なお、現在の日時は、上記したＧＰＳ受信器２１が車両の位置とともに取得するＵＴＣ時刻から日本標準時刻に換算して取得することもできる。この場合は、当該ＧＰＳ受信機２１が日付取得手段として機能する。
【００２５】
（３）整備情報サーバ
図３は、整備情報サーバ１００の全体構成を示すブロック図である。整備情報サーバ１００は、ＣＰＵ９１，ＲＯＭ９２，ＲＡＭ９３及び入出力インターフェース（Ｉ／Ｏ）９４を有し、これらがバスライン９５により接続された制御部９０を備え、これに周辺機器として、キーボードやマウス等の操作入力部９７，表示装置９８，外部との通信を行うネットワーク制御部９６（本発明における整備情報サーバの受信部及び送信部），ハードディスク装置（ＨＤＤ）９９等が接続されている。ネットワーク制御部９６は、上記したナビゲーション装置１との間のネットワークを通じた通信を制御する。なお、制御部９０が本発明における交換時期算出手段に相当する。
【００２６】
ＨＤＤ９９には、オペレーティングシステムプログラム（以下、ＯＳという）９９ａ及び整備情報サーバプログラム９９ｂが格納されている。整備情報サーバプログラム９９ｂは、整備情報サーバ１００としての機能を実現するためＯＳ９９ａ上でＲＡＭ９３に確保される整備情報サーバワークメモリ９３ｂを作業領域とする形で作動するものである。ＲＡＭ９３には、ＯＳ９９ａのワークメモリ９３ａも形成される。かかる構成により、整備情報サーバ１００は、ＣＰＵ９１により整備情報サーバプログラム９９ｂが起動されると、本発明に係る整備情報サーバとして機能する。
【００２７】
また、ＨＤＤ９９には、交換記録データベース９９ｃが構築されており、これが本発明における交換記録記憶手段に相当する。交換記録データベース９９ｃは、図６に示すように、複数のナビゲーション装置１に対して装置識別番号を付与しており、それら各ナビゲーション装置１に対して「エンジンオイル」や「オイルフィルタ」等の部品毎に、前回交換時から要した期間である「交換期間」，当該期間内に車両が走行した距離である「交換距離」，交換時の日付である「交換日」等の値を記憶している。また、図では省略されているが、他にも、交換時における「積算走行距離」、車両の「車種」、交換した部品のメーカーや型番等の「部品の種類」などを記憶している。
【００２８】
また、交換記録データベース９９ｃには、各部品についてＣＰＵ９１により算出された「交換期間」及び「交換距離」の平均値が平均値記憶領域（図６の右側）に記憶されている。また、平均値の他に、標準偏差σを求めて記憶させておくこともでき、後述する推奨次回交換時の算出において平均値とともに利用することができる。さらに、交換記録データベース９９ｃは、かかる平均値等を基にＣＰＵ９１により算出された各ナビゲーション装置１のそれぞれの部品についての推奨次回交換時も記憶している。推奨次回交換時についての詳細は後述する。
【００２９】
また、ＨＤＤ９９には、部品リストデータベース９９ｄが構築されており、これが本発明における部品リスト記憶手段に相当する。部品リストデータベース９９ｄは、交換記録データベース９９ｃに記憶されている交換部品のリスト（部品リスト）を記憶しており、かかる部品リストは、ナビゲーション装置１からのアクセスによりナビゲーション装置１の表示装置５１に出力される（図４参照）。また、部品リストは、ナビゲーション装置１の操作スイッチ群４１等の入力手段により選択可能とされている。
【００３０】
さらに、部品リストデータベース９９ｄには、部品リスト中の一つの部品がナビゲーション装置１の入力手段により選択された場合に、その次に表示装置５１に対して出力する入力項目リストを記憶している（図５参照）。当該入力項目リストは、上記した交換記録データベース９９ｃが各部品に係る領域内で記憶する項目に対応するものであり、ナビゲーション装置１の操作スイッチ群４１等の入力手段により入力可能とされている。なお、「交換日」の項目については、上述したように制御回路１０のＲＴＣ１６等から得ることができるので、省略することができる。
【００３１】
（４）ナビゲーション装置１及び整備情報サーバ１００が行う処理
次に、上記したナビゲーション装置１及び整備情報サーバ１００の作動について、図４ないし図９を参照して説明する。ここで、図８及び図９は、ナビゲーション装置１のＣＰＵ１１が実行するナビプログラム１２ｐの処理並びに整備情報サーバ１００のＣＰＵ９１が実行する整備情報サーバプログラム９９ｂの処理をフローチャートとして示している。図８のフローチャートは、車両部品の交換記録情報をナビゲーション装置１から整備情報サーバ１００の交換記録データベース９９ｃに登録する交換記録情報登録処理を示すものである。また、図９のフローチャートは、推奨次回交換時の到来により整備情報サーバ１００がナビゲーション装置１に対して行う部品交換の勧告処理を示すものである。
【００３２】
（４−１）交換記録情報登録処理
図８の交換記録情報登録処理について説明する。ナビゲーション装置１が搭載された車両のユーザは、車両部品の交換を行うと、交換記録情報の登録を整備情報サーバ１００に対して行う。すなわち、まずナビゲーション装置１のＣＰＵ１１は、ユーザにより交換部品リストの要求が入力手段４１等で操作されたことを検出すると（ステップＳ１１）、交換部品リスト要求を携帯電話機６２から整備情報サーバ１００に送信させる（ステップＳ１２）。
【００３３】
整備情報サーバ１００のＣＰＵ９１は、ナビゲーション装置１からの交換部品リスト要求の受信を検出すると（ステップＳ２１）、部品リストデータベース９９ｄに記憶されている部品リストを読み出し、ネットワーク制御部９６からナビゲーション装置１に送信させる（ステップＳ２２）。そして、ナビゲーション装置１のＣＰＵ１１は、整備情報サーバ１００から部品リストを受信したことを検出すると（ステップＳ１３）、図４に示すように、表示装置５１の画面に部品リストを表示させる（ステップＳ１４）。
【００３４】
部品リストは、画面右下にタッチスイッチが構成されており、ユーザは「上スクロール」キー或いは「下スクロール」キーを操作して該当する部品にカーソルを合わせ、「決定」キーの操作により選択を行う。その後、ナビゲーション装置１のＣＰＵ１１は、部品の選択が行われたことを検知すると（ステップＳ１５）、携帯電話機６２から整備情報サーバ１００に部品選択通知を送信させる（ステップＳ１６）。整備情報サーバ１００のＣＰＵ９１は、部品選択通知の受信を検出すると（ステップＳ２３）、部品リストデータベース９９ｄに記憶されている入力項目リストを読み出し、ネットワーク制御部９６からナビゲーション装置１に送信させる（ステップＳ２４）。そして、ナビゲーション装置１のＣＰＵ１１は、整備情報サーバ１００から入力項目リストを受信したことを検出すると（ステップＳ１７）、図５に示すように、表示装置５１の画面に入力項目リストを表示させる（ステップＳ１８）。
【００３５】
入力項目リストは、部品の交換情報（交換日，交換期間，交換距離，部品の種類等）及びその交換時における車両情報（積算走行距離等）などの交換記録情報の入力欄を有しており、ユーザは操作スイッチ群４１等の入力手段によって当該入力欄に交換記録情報を入力する。なお、上記したように交換日については、制御部１０のＲＴＣ１６によって取得可能である。ＣＰＵ１１は、交換記録情報が入力されて「送信」キーが操作されたことを検知すると（ステップＳ１９）、携帯電話機６２から整備情報サーバ１００に交換情報を送信させる（ステップＳ２０）。
【００３６】
なお、ステップＳ１９で、ＣＰＵ１１が入力項目リストの必須入力項目に入力されてないことを検知した場合には、再度の入力を促す画面を表示する（図示せず）。ここで、交換記録情報のうち「交換期間」及び「交換距離」については、後述するように、交換情報データベース９９ｃに前回交換時の日付及び積算走行距離が既に記憶されていれば、整備情報サーバ１００側で算出することができるので、必須入力項目としなくてもよい。
【００３７】
そして、整備情報サーバ１００のＣＰＵ９１は、ナビゲーション装置１から交換記録情報を受信したことを検出すると（ステップＳ２５）、受信した交換記録情報を交換記録データベース９９ｃに記憶させるが（ステップＳ２８）、その前に必要に応じて交換期間及び交換距離の計算を行う。すなわち、交換情報データベース９９ｃに前回交換時の日付及び積算走行距離が既に記憶されている場合には、交換期間及び交換距離の計算が必要と判断して（ステップＳ２６）、ナビゲーション装置１から受信した交換記録情報に含まれる今回の部品交換に係る日付及び積算走行距離と、交換情報データベース９９ｃに記憶されている前回交換時の日付及び積算走行距離とを比較することによって交換期間及び交換距離を算出する（ステップＳ２７）。なお、ナビゲーション装置１から受信する交換記録情報に交換期間及び交換距離が含まれている場合であっても、交換情報データベース９９ｃに前回交換時の日付及び積算走行距離が既に記憶されていれば、整備情報サーバ１００のＣＰＵ９１により交換期間及び交換距離を算出した方がより正確なデータを得られるため、算出した結果を採用する。
【００３８】
その後、整備情報サーバ１００のＣＰＵ９１は、交換情報データベース９９ｃに交換記録情報を記憶させる（ステップＳ２８）。以上によって、交換記録情報の登録処理が終了する。なお、ナビゲーション装置１が初めて交換記録情報を交換情報データベース９９ｃに登録する場合には、整備情報サーバ１００のＣＰＵ９１は、当該ナビゲーション装置１に新たな装置識別番号を付与した上で、その装置識別番号の領域に交換記録情報を記憶させる。すなわち、例えば、図６に示すように、交換情報データベース９９ｃにこれよりも以前に他の６台のナビゲーション装置に対して装置識別番号「０００１」〜「０００６」が付与されて交換記録情報が記憶されているとした場合に、整備情報サーバ１００のＣＰＵ９１は、初めて交換記録情報を送信するナビゲーション装置１に対して次番の装置識別番号「０００７」を付与し、受信した交換記録情報を交換記録データベース９９ｃの装置識別番号「０００７」の領域に記憶させる（図６参照）。一方、交換記録情報を送信するナビゲーション装置１が、前に交換記録情報を交換記録データベース９９ｃに登録して装置識別番号を既に有している場合には、整備情報サーバ１００のＣＰＵ９１は、受信した交換記録情報を該当する装置識別番号の領域に上書きする。
【００３９】
（４−２）交換記録情報の統計及び次回推奨交換時の算出
次に、整備情報サーバ１００のＣＰＵ９１による交換記録情報の統計及び次回推奨交換時の算出について説明する。整備情報サーバプログラム９９ｂには、整備情報サーバ１００のＣＰＵ９１に定期的に以下の処理を行わせるプログラムが含まれている。ＣＰＵ９１は、交換記録データベース９９ｃに記憶されている交換記録情報のうち「交換期間」及び「交換距離」を読み出し、その統計を採って、各部品についての平均値を交換記録データベース９９ｃの平均値記憶領域に記憶させる（図６参照）。そして、得られた「平均交換期間」を各装置識別番号（ナビゲーション装置１）の「交換日」に加算し、その値を次回推奨交換時として、さらに交換記録データベース９９ｃに記憶させる（図６参照）。なお、次回推奨交換時の算出方法としては、例えば、平均値のみならず標準偏差σも考慮した平均値＋σや平均値＋３σ等の統計値を用いて、その値を「交換日」に加算して次回推奨交換時とする等の方法を採用することもできる。
【００４０】
また、交換記録情報の統計は、例えば、交換部品の種類や車両の種類等に応じて個別に行うこともできる。すなわち、交換記録情報には、図５に示すように交換部品の種類（メーカ名や型番等）や車両の種類が含まれているので、上記処理における交換記録情報の統計を、交換部品の種類別（例えば「Ａ」という種類のエンジンオイル）に採ることができる。そして、部品の種類毎の平均値を上記した交換記録データベース９９ｃの平均値の領域に記憶させ、それを該当する装置識別番号（ナビゲーション装置１）の「交換日」に加算して次回推奨交換時とする。これによって、より信頼性の高い情報をユーザに提供できる。
【００４１】
（４−３）部品交換の勧告処理
次に、図９の部品交換の勧告処理について説明する。整備情報サーバプログラム９９ｂには、整備情報サーバ１００のＣＰＵ９１に各ナビゲーション装置１の各部品について次回推奨交換時が到来したか否かを定期的に判定させるプログラムが含まれている。ＣＰＵ９１は、当該判定により次回推奨交換時が到来している部品が存在する場合には（ステップＳ４１）、部品の交換勧告情報をネットワーク制御部９６からナビゲーション装置１に送信させる（ステップＳ４２）。ナビゲーション装置１のＣＰＵ１１は、交換勧告情報の受信を検知すると（ステップＳ３１）、それを表示装置５１の画面に図７に示すように出力する（ステップＳ３２）。
【００４２】
具体的には、推奨次回交換時となった対象が装置識別番号０００７のエンジンオイルであったとすると、整備情報サーバ１００のＣＰＵ９１は、交換記録データベース９９ｃから交換期間及び交換距離の平均値や最終交換時の交換日及び積算走行距離を読出して、交換勧告情報に含めてネットワーク制御部９６から装置識別番号０００７に該当するナビゲーション装置１に送信させる。そして、ナビゲーション装置１のＣＰＵ１１は、かかる交換勧告情報を受信すると、表示装置５１に対して図７に示すように、部品の交換を促すメッセージの出力を行うとともに、交換期間及び交換距離の平均値や最終交換時の交換日及び積算走行距離の出力を行う。このように、交換期間及び交換距離の平均値が表示されることによって、ユーザにとってより信頼性の高い部品交換の勧告を行うことができる。
【００４３】
また、上記処理における交換勧告情報は、例えば「Ａ」という種類のエンジンオイルといったように、その部品の種類についての交換期間及び交換距離の平均値を表示させることができる（図７参照）。すなわち、上述したように交換記録データベース９９ｃには部品の種類毎の交換期間及び交換距離の平均値を記憶させておくことができるので、整備情報サーバ１００のＣＰＵ９１は、最終交換時の交換日及び積算走行距離とともに、該当するナビゲーション装置１に係る部品の種類及びその部品の種類に係る交換期間及び交換距離の平均値を交換記録データベース９９ｃから読み出し、これらを交換勧告情報に含めるようにする。そして、ナビゲーション装置１のＣＰＵ１１は、図７に示すように、部品の種類（例えば「Ａ」というエンジンオイル）及びその部品の種類に係る交換期間及び交換距離の平均値を表示装置５１へ出力する。これによって、ユーザは自己の使用する部品についての平均的な交換情報を得ることができる。
【００４４】
＜第二実施形態＞
以下、本発明の車両整備情報通信システムの第二実施形態を、図面を参照しながら説明する。なお、上記第一実施形態と重複する箇所については、同番号を付して説明を省略する。第二実施形態の車両整備情報通信システムでは、図１０に示すように、整備情報サーバ１００から交換勧告情報をナビゲーション装置１に対して送信することは上記第一実施形態と同様であるが、整備情報サーバ１００の交換記録データベース９９ｃへの交換記録情報の登録を端末装置２００からも行うことができる点を特徴とする。
【００４５】
かかる端末装置２００は、例えばカーディーラやモータース、修理工場等の部品交換業者の下に設置しておくことができる。すなわち、部品交換は個人で行うようなケースはあまり多くなく、実際にはカーディーラやモータース、修理工場等の部品交換業者に依頼して交換を行うのが一般的であるため、部品交換を行った業者がその都度ユーザに代わって交換記録情報の登録を端末装置２００において行うようにしている。これによって、ユーザの手間が省けるとともに、ユーザによる入力では期待できない詳細かつ正確な交換記録情報を整備情報サーバ１００によって集計することができる。しかも、部品交換の勧告はユーザのナビゲーション装置１に直接行われることから、より信頼性の高い部品交換の勧告をユーザは労せず得ることができる。
【００４６】
端末装置２００の説明を行う。図１１は、端末装置２００の全体構成を示すブロック図である。端末装置２００は、パソコン等として構成でき、ＣＰＵ８１，ＲＯＭ８２，ＲＡＭ８３及び入出力インターフェース（Ｉ／Ｏ）８４を有し、これらがバスライン８５により接続された制御部８０を備え、これに周辺機器として、キーボードやマウス等の操作入力部８７，表示装置８８，外部との通信を行うネットワーク制御部８６（本発明における端末装置の送信部），ハードディスク装置（ＨＤＤ）８９等が接続されている。ネットワーク制御部８６は、上記した整備情報サーバ１００との間のネットワークを通じた通信を制御する。
【００４７】
ＨＤＤ８９には、オペレーティングシステムプログラム（以下、ＯＳという）８９ａ及び交換記録登録プログラム８９ｂが格納されている。交換記録登録プログラム８９ｂは、ＯＳ８９ａ上でＲＡＭ８３に確保される登録プログラムワークメモリ８３ｂを作業領域とする形で作動するものである。ＲＡＭ８３には、ＯＳ８９ａのワークメモリ８３ａも形成される。かかる構成を持つことにより、端末装置２００は、ＣＰＵ８１により交換記録登録プログラム８９ｂが起動されると、本発明に係る端末装置として機能する。
【００４８】
上記した端末装置２００の作動について説明する。端末装置２００のＣＰＵ８１は、交換記録登録プログラム８９ｂの実行により交換記録情報登録処理を行う。当該交換記録情報登録処理は、図９の第一実施形態に係る交換記録情報登録処理におけるナビゲーション装置１が本実施形態に係る端末装置２００に置き換わったものであり、同様の処理を行う。従って、端末装置２００の表示装置８８の画面には図４に示した部品リストや図５に示した登録項目リストが表示されて、各リストにはキーボードやマウス等の操作入力部８７の操作による入力が行われる。このようにして端末装置２００による交換記録情報の登録が行われると、その後の処理は第一実施形態と同じである。すなわち、整備情報サーバ１００において、交換期間及び交換距離の平均値の算出及び推奨次回交換時の算出が行われて、推奨次回交換時の到来により該当するナビゲーション装置１に対して交換勧告情報を送信する。
【００４９】
以上、本発明の実施形態について説明したが、本発明はこれらに限定されず、その要旨を逸脱しない範囲で適宜変更して実施し得るものである。
【図面の簡単な説明】
【００５０】
【図１】本発明の第一実施形態に係る車両整備情報通信システムの全体の構成を概略的に示す図
【図２】ナビゲーション装置（車載装置）の全体構成を示すブロック図
【図３】整備情報サーバの全体構成を示すブロック図
【図４】ナビゲーション装置の表示装置の画面に出力された部品リストを示す図
【図５】ナビゲーション装置の表示装置の画面に出力された登録項目リストを示す図
【図６】交換記録データベース内のデータ構造を示す図
【図７】ナビゲーション装置の表示装置の画面に出力された交換勧告情報を示す図
【図８】ナビゲーション装置及び整備情報サーバが行う交換記録情報登録処理のフローチャート
【図９】ナビゲーション装置及び整備情報サーバが行う部品交換の勧告処理のフローチャート
【図１０】本発明の第二実施形態に係る車両整備情報通信システムの全体の構成を概略的に示す図
【図１１】端末装置の全体構成を示すブロック図
【符号の説明】
【００５１】
１  ナビゲーション装置（車載装置）
４１  操作スイッチ群（入力手段）
４３  リモコン端末（入力手段）
５１，８８  表示装置（出力手段）
６２  携帯電話（送信手段，受信手段）
８６，９６  ネットワーク制御部（送信手段，受信手段）
８７  操作入力部（入力手段）
９０  制御部（交換時期算出手段）
９９ｃ  交換記録データベース（交換記録記憶手段）
１００  整備情報サーバ
２００  端末装置
【図１】
2006215749.tif 000003
【図２】
2006215749.tif 000004
【図３】
2006215749.tif 000005
【図４】
2006215749.tif 000006
【図５】
2006215749.tif 000007
【図６】
2006215749.tif 000008
【図７】
2006215749.tif 000009
【図８】
2006215749.tif 000010
【図９】
2006215749.tif 000011
【図１０】
2006215749.tif 000012
【図１１】
2006215749.tif 000013